(57)【要約】【課題】電子部品の状態を容易に確認できる照明装置を提供する。【解決手段】照明装置１０は、第一発光部３０と、第一発光部３０が載置される載置面４１を有し、第一発光部３０が発する光を反射する反射板４０と、照明装置１０が有する電子部品の状態に応じて点灯状態が変化するモニタランプ（第二発光部）７３とを備え、第一発光部３０は、平面視した場合に反射板４０の中央部に位置し、反射板４０は、第一発光部３０から離れるにつれて開口面積が広がる形状であり、反射板４０の周縁には、フランジ状の平坦部４３が設けられ、平坦部４３には、反射板４０を貫通する開口部４４が設けられ、モニタランプ７３は、平面視した場合に開口部４４に位置し、モニタランプ７３の光出射位置Ｐは、平坦部４３と略同一面、又は、載置面４１側に位置する。【選択図】図６
2018116905.tif 000002
【特許請求の範囲】
【請求項１】
照明装置であって、
第一発光部と、
前記第一発光部が載置される載置面を有し、前記第一発光部が発する光を反射する反射板と、
前記照明装置が有する電子部品の状態に応じて点灯状態が変化する第二発光部とを備え、
前記第一発光部は、平面視した場合に前記反射板の中央部に位置し、
前記反射板は、前記第一発光部から離れるにつれて開口面積が広がる形状であり、
前記反射板の周縁には、フランジ状の平坦部が設けられ、
前記平坦部には、前記反射板を貫通する開口部が設けられ、
前記第二発光部は、平面視した場合に前記開口部に位置し、
前記第二発光部の光出射位置は、前記平坦部と略同一面、又は、前記載置面側に位置する
照明装置。
【請求項２】
前記開口部は、前記反射板の周縁に形成される切り欠き状の切り欠き部である
請求項１に記載の照明装置。
【請求項３】
さらに、前記第二発光部が発する光を反射する樹脂材料によって形成され、前記第二発光部の周囲を覆う筒状の孔である筒部が設けられたモニタユニットを備える
請求項１又は２に記載の照明装置。
【請求項４】
さらに、前記モニタユニットが配置され、平坦な主面を有する器具本体を備え、
前記反射板は、前記主面に対して平行な方向にスライドされることにより、前記開口部と前記モニタユニットとが嵌合して前記器具本体に取付けられ、
前記器具本体は、前記反射板の前記主面に対して平行な方向の動きを規制し、前記反射板が着脱可能に取付けられる取付け部を有する
請求項３に記載の照明装置。
【請求項５】
さらに、前記第一発光部が発する光を透過する光透過部材を有し、前記器具本体に着脱可能に取付けられる透光カバーを備える
請求項４に記載の照明装置。
【請求項６】
さらに、前記反射板に覆われて前記主面に載置され、前記第一発光部に電力を供給する蓄電池を備え、
前記第二発光部は、前記蓄電池の状態に応じて点灯状態が変化する
請求項４又は５に記載の照明装置。
【発明の詳細な説明】
【技術分野】
【０００１】
本発明は、照明装置に関する。
【背景技術】
【０００２】
従来、通常時に光源を商用交流電源などの外部電源で点灯させ、停電が発生して商用交流電源から電力が供給されなくなった場合等の非常時に、バッテリ（蓄電池）の電源により光源を点灯させるようにした非常灯対応の非常用照明装置がある。また、非常用照明装置には、蓄電池が非常時に正常に動作するかどうかを確認するための、非常用照明装置の使用者（操作者）が操作するスイッチが備えられている。
【０００３】
例えば特許文献１には、光源モジュールと、蓄電池と、蓄電池の状態を確認するためのスイッチと、モニタランプと、光源モジュール及びモニタランプの点灯を制御する点灯回路とを備える照明装置が開示されている。モニタランプは、操作者がスイッチの操作した場合に、蓄電池の点検結果を操作者に報知するものである。
【先行技術文献】
【特許文献】
【０００４】
【特許文献１】特開２０１６−０９１７４１号公報
【発明の概要】
【発明が解決しようとする課題】
【０００５】
ところで、照明装置は人の手が届き難い比較的高所に設置される場合が多い。そのため、操作者は蓄電池等の照明装置が備える電子部品の状態を確認するが、照明装置が設置されているところから当該照明装置を取り外して電子部品の状態、又は、電子部品の状態を報知するためのモニタランプを確認することは困難である場合がある。
【０００６】
本発明は、照明装置が備える電子部品の状態を容易に確認できる照明装置を提供する。
【課題を解決するための手段】
【０００７】
本発明の一態様に係る照明装置は、第一発光部と、前記第一発光部が載置される載置面を有し、前記第一発光部が発する光を反射する反射板と、前記照明装置が有する電子部品の状態に応じて点灯状態が変化する第二発光部とを備え、前記第一発光部は、平面視した場合に前記反射板の中央部に位置し、前記反射板は、前記第一発光部から離れるにつれて開口面積が広がる形状であり、前記反射板の周縁には、フランジ状の平坦部が設けられ、前記平坦部には、前記反射板を貫通する開口部が設けられ、前記第二発光部は、平面視した場合に前記開口部に位置し、前記第二発光部の光出射位置は、前記平坦部と略同一面、又は、前記載置面側に位置する。
【発明の効果】
【０００８】
本発明によれば、照明装置が備える電子部品の状態を容易に確認できる照明装置が実現される。
【図面の簡単な説明】
【０００９】
【図１】図１は、実施の形態に係る照明装置の下方から見た外観斜視図である。
【図２】図２は、実施の形態に係る照明装置の下方から見た分解斜視図である。
【図３】図３は、反射板に取付けられる構成要素を反射板から取り外した図である。
【図４】図４は、実施の形態に係る照明装置の透光カバーを取り外した場合の下面図である。
【図５】図５は、図４の照明装置から反射板を取り外した場合の下面図である。
【図６】図６は、図４のＶＩ−ＶＩ線に対応した位置で照明装置を切断した場合の断面図である。
【図７】図７は、反射板が器具本体に取付けられる際の、反射板の動きを示す説明図である。
【図８】図８は、実施の形態に係る照明装置が備える点灯制御装置の外観斜視図である。
【図９】図９は、実施の形態に係る照明装置が備える点灯制御装置の分解斜視図である。
【図１０】図１０は、図６の破線Ｘに囲まれた領域を示す点灯制御装置の部分拡大図である。
【図１１】図１１は、実施の形態に係る照明装置が備える電子部品の一例である蓄電池の状態を点検する処理手順を示すフローチャートである。
【発明を実施するための形態】
【００１０】
以下、実施の形態について、図面を参照しながら具体的に説明する。なお、以下で説明する実施の形態は、いずれも包括的又は具体的な例を示すものである。以下の実施の形態で示される数値、形状、材料、構成要素などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は、模式図であり、必ずしも厳密に図示されたものではない。なお、各図において、実質的に同一の構成に対しては同一の符号を付しており、重複する説明は省略又は簡略化される場合がある。
【００１２】
以下の実施の形態の図面においては、Ｙ軸方向は、例えば上下方向（鉛直方向）であり、Ｙ軸負方向側は、上側又は天井側と記載される場合がある。また、Ｙ軸正方向側は、下側と記載される場合がある。また、Ｘ軸方向及びＺ軸方向は、Ｙ軸に垂直な平面（水平面）上において、互いに直交する方向である。
【００１３】
また、本明細書において、「略」又は「約」とは、製造又は配置の際に生じる誤差を含むことを意味する。
【００１４】
（実施の形態）
［照明装置の構成］
実施の形態に係る照明装置の構成について詳細に説明する。
【００１５】
図１は、実施の形態に係る照明装置の下方から見た外観斜視図である。図２は、実施の形態に係る照明装置の下方から見た分解斜視図である。図３は、実施の形態に係る照明装置が備える反射板に取付けられる構成要素を反射板から取り外した図である。図４は、実施の形態に係る照明装置の透光カバーを取り外した場合の下面図である。図５は、図４の照明装置から反射板を取り外した場合の下面図である。具体的には、図５は、実施の形態に係る照明装置から透光カバーと、反射板と、反射板に取付けられる構成要素を取り外した図である。図６は、図４のＶＩ−ＶＩ線に対応する位置で照明装置を切断した場合の断面図である。つまり、図６は、透光カバーを取付けた状態の照明装置を、図４に示すＶＩ−ＶＩ線に対応する位置に沿って切断した断面を示す断面図である。
【００１６】
図１〜図６に示されるように、照明装置１０は、器具本体１１と、第一発光部３０と、反射板４０と、透光カバー５０と、蓄電池６０と、点灯制御装置７０と、端子台８０と、を備える。
【００１７】
照明装置１０は、例えば、マンションの共用部などの半屋外空間で使用される、防災用（非常用）の照明装置である。照明装置１０は、具体的には、シーリングライトとして天井やブラケットライトとして壁面などの施工面に取付けられる。本実施の形態においては、照明装置１０の平面視形状は、円形である。なお、「平面視」とは、器具本体１１に設けられた主面１２ａ、又は、反射板４０に設けられた載置面４１を法線方向から見た場合を示す。
【００１８】
器具本体１１は、天井又は壁面などの造営材の施工面に取付けられる部材であり、言い換えれば、取付け台である。器具本体１１は、例えば、アルミダイカスト等によって形成されるが、その他の金属、又は樹脂によって形成されてもよい。器具本体１１は、平面視形状が円形の平板状のベース部１２と、ベース部１２の周縁近傍に立設した側壁部１３とを含む有底筒状である。
【００１９】
ベース部１２は、器具本体１１を造営材に取付けるための取付け構造（開口）が設けられている。ベース部１２は、平板状であり、後述する蓄電池６０等の照明装置１０の構成部材が載置される面（主面１２ａ）とは反対側の面（取付け面１２ｂ）側が、造営材の施工面に取付けられる。なお、照明装置１０が造営材に取り付けられた場合に、造営材の施工面と、上述した蓄電池６０等の照明装置１０の構成部材が載置される主面１２ａとは、略平行となる。また、以下の実施の形態では、器具本体１１（照明装置１０）は、天井に取付けられるものとして説明が行われる。
【００２０】
ベース部１２には、２つの取付け部１４が備えられている。
【００２１】
取付け部１４は、主面１２ａに対して平行な方向の反射板４０の動きを規制し、反射板４０が着脱可能に取付けられる部材であり、造営材の施工面に対して垂直な方向に立設された状態でベース部１２に設けられる。つまり、取付け部１４は、反射板４０を器具本体１１に着脱可能に取付けるための部材である。２つの取付け部１４は、ベース部１２の周縁近傍に対向して配置される。
【００２２】
器具本体１１のベース部１２には、蓄電池６０、点灯制御装置７０及び端子台８０が載置される。
【００２３】
蓄電池６０は、第一発光部３０に電力を供給する電源である。蓄電池６０は、例えば、外部からの交流電力の供給が停止されたときに、非常用の電源として使用される。蓄電池６０は、例えば、ニッケル水素電池である。蓄電池６０は、充電及び放電が可能な電池であればよく、リチウムイオン電池又は鉛蓄電池等であってもよい。蓄電池６０は、蓄電池カバー６１によって下方から覆われる。蓄電池カバー６１は、例えば、アルミダイカストによって形成されるが、樹脂によって形成されてもよい。
【００２４】
点灯制御装置７０は、照明装置１０の外部から供給される交流電力を直流電力に変換して第一発光部３０に供給する電源回路を含む制御回路１２３（図９参照）を備える電源回路ユニットである。点灯制御装置７０の詳細については、後述する。
【００２５】
端子台８０は、外部交流電源と点灯制御装置７０とを電気的に接続させるために電線が差し込まれる１又は複数の端子が配設された端子ユニットである。交流電力は、端子台８０に差し込まれた電線を介して外部交流電源から点灯制御装置７０へ供給される。
【００２６】
第一発光部３０は、照明光を発する照明装置１０の照明用光源として機能する。第一発光部３０は、具体的には、基板上に実装されたＬＥＤ（Ｌｉｇｈｔ  Ｅｍｉｔｔｉｎｇ  Ｄｉｏｄｅ）チップが、蛍光体を含有する透光性樹脂によって封止されたＣＯＢ（Ｃｈｉｐ  Ｏｎ  Ｂｏａｒｄ）型の発光モジュール３１を備える。第一発光部３０は、円形の発光領域を有する。本実施の形態においては、第一発光部３０は、さらに、配光を制御するためのレンズを有し、第一発光部３０を反射板４０にネジ止めするためのホルダ３２を備える。第一発光部３０は、例えば、白色光を主とした照明光を下方に向けて発する。つまり、第一発光部３０は、白色光を透光カバー５０に向けて発する。なお、第一発光部３０と載置面４１との間には、放熱シート３３などの放熱部材が配置されてもよい。
【００２７】
また、第一発光部３０は、透光カバー５０が備える光透過部材５１と反射板４０との間に配置される。また、平面視した場合に、第一発光部３０は反射板４０下面の中央部に位置する載置面４１に配置される。第一発光部３０は、反射板４０の載置面４１に載置され、載置面４１にねじ止めされる。なお、図示されないが、第一発光部３０は、蓄電池６０及び点灯制御装置７０とリード線などによって電気的に接続される。
【００２８】
ところで、上述したように照明装置が備える光源の交換等のために、壁、天井等の造営材に固定される照明装置の本体と、照明装置が備える照明装置の構成部材とがねじ止め等によって着脱可能に取付けられる場合がある。実施の形態に係る照明装置１０においては、照明装置１０は蓄電池６０を備える。一般的に、蓄電池が内蔵された例えば防災用（非常用）の照明装置は、定期的に蓄電池の状態を確認する必要がある。この際に、蓄電池に要求される能力を満たしていないことが確認された場合、蓄電池は交換される必要がある。そのために、照明装置１０においては、器具本体１１に取付けられている蓄電池６０を交換しやすくするために、反射板４０及び透光カバー５０は器具本体１１と着脱可能に取付けられている。
【００２９】
反射板４０は、第一発光部３０が配置される載置面４１が設けられ、第一発光部３０が発する光を反射する板体である。また、反射板４０は、第一発光部３０から発せられる光を、透光カバー５０（具体的には、光透過部材５１）側へ反射する。また、反射板４０は、器具本体１１に第一発光部３０を着脱可能に取付けるための取付け部材である。具体的には、反射板４０は、主面１２ａに対して平行な方向にスライドされることにより、器具本体１１（具体的には、取付け部１４）に着脱可能に取付けられる。また、反射板４０は、ベース部１２に載置された蓄電池６０、点灯制御装置７０及び端子台８０を覆うように器具本体１１に取付けられる。言い換えると、蓄電池６０、点灯制御装置７０及び端子台８０は、反射板４０に覆われて器具本体１１に載置される。また、反射板４０は、第一発光部３０の光軸Ｌ方向（Ｙ軸方向）において、器具本体１１（具体的にはベース部１２）と透光カバー５０（具体的には透光カバー５０が備える光透過部材５１）との間に配置される。図６に示されるように、反射板４０とベース部１２との間、及び、反射板４０と光透過部材５１との間のそれぞれには、空隙（空気層）が配置される。つまり、反射板４０は、器具本体１１及び光透過部材５１のいずれの部材とも直接接触しない。このように、第一発光部３０が反射板４０の載置面４１に載置される構造によれば、第一発光部３０がベース部１２に載置される構造よりも、第一発光部３０が発する熱がベース部１２に伝わりにくい効果が得られる。
【００３０】
また、反射板４０は、上方（ベース部１２側）に向かうほど縮径する略漏斗状である。言い換えると、反射板４０は、第一発光部３０から離れるにつれて開口面積が広がる形状である。反射板４０は、例えば、アルミニウムによって形成されるが、その他の金属又は樹脂によって形成されてもよい。
【００３１】
図３に示されるように、反射板４０は、載置面４１、傾斜部４２、平坦部４３を有する。
【００３２】
載置面４１は、反射板４０の略中央部に位置し、第一発光部３０が載置される平面である。載置面４１の平面視形状は、特に限定されるものではないが、本実施の形態においては円形である。第一発光部３０は、載置面４１に載置されることにより、光透過部材５１と反射板４０との間に位置する。
【００３３】
また、反射板４０のうち載置面４１の反対側の面、つまり、載置面４１と背向する面には、ヒートシンクが配置されてもよい。当該ヒートシンクによれば、第一発光部３０が発光中に発する熱を当該ヒートシンクに逃がすことができる。当該ヒートシンクは、例えば、アルミダイカストによって形成されるが、その他の金属によって形成されてもよい。
【００３４】
また、反射板４０には、第一発光部３０が発する光を透光カバー５０側に反射させる傾斜部４２が含まれるとよい。傾斜部４２は、載置面４１の周囲を囲むように載置面４１と連続的に形成された部分であり、第一発光部３０が発する光の一部を光透過部材５１に向けて反射する。傾斜部４２は、反射板４０の径方向において一部が湾曲したテーパ部分である。
【００３５】
また、反射板４０の周縁部には、傾斜部４２に対して、さらに傾斜部４２からベース部１２側に傾斜して延在したフランジ状の平坦部４３が設けられる。具体的には、反射板４０の周縁部には、傾斜部４２に対して傾斜し、載置面４１に対して略平行な平坦部４３が設けられる。言い換えると、反射板４０の周縁近傍には、第一発光部３０が発する光の光軸Ｌ方向に対して略垂直方向に屈曲して形成された平坦部４３が設けられる。平坦部４３には、開口部４４及び取付け孔４５が設けられる。
【００３６】
開口部４４は、光軸Ｌ方向に貫通して形成された貫通孔である。開口部４４には、第二発光部７３が位置する。具体的には、開口部４４は、第二発光部７３を有するモニタユニット７１が嵌合される。なお、開口部４４は、反射板４０を器具本体１１に取付けやすくするために、反射板４０の周縁に形成された切り欠き状の切り欠き部であるとよい。
【００３７】
反射板４０の周縁部（平坦部４３）には、一対の取付け孔４５が対向して配置される。取付け孔４５は、取付け部１４に対応して位置し、光軸Ｌ方向に貫通して形成された貫通孔である。なお、反射板４０の平坦部４３に配置される取付け孔４５の数は特に限定されるものではない。器具本体１１に設けられる取付け部１４に対応した数だけ設けられるとよい。
【００３８】
透光カバー５０は、器具本体１１とともに照明装置１０の外郭筐体の一部を構成する、器具本体１１と着脱可能なカバー部材である。透光カバー５０は、光透過部材５１と、枠体５２とを備える。
【００３９】
光透過部材５１は、下方に向かって突出した略円形ドーム状の光学部材（グローブ）である。光透過部材５１は、例えば、白色又は乳白色であり、光拡散性（光散乱性）及び透光性を有する。
【００４０】
光透過部材５１は、枠体５２の下側の開口を塞ぐように枠体５２に取付けられる。光透過部材５１は、具体的には、外側に向かって鍔状にせり出した光透過部材５１の縁が、支持枠１００と枠体５２の鍔状にせり出した部分との間に挟み込まれることによって、枠体５２に取付けられる。
【００４１】
光透過部材５１は、例えば、ガラスによって形成されるが、シリコーン樹脂、アクリル樹脂、又は、ポリカーボネート樹脂によって形成されてもよい。また、光透過部材５１は、表面にシルク印刷が行われることによって光拡散性を有してもよい。また、光透過部材５１は、シリカ又は炭酸カルシウムなどの光拡散材（微粒子）を含有することにより光拡散性を有してもよい。また、光透過部材５１の表面（内面又は外面）に光拡散材等を含む乳白色の光拡散膜を形成することで、光透過部材５１は光拡散性を有してもよい。また、光拡散材を用いるのではなくシボ加工処理等によって光透過部材５１の表面に微小凹凸を形成したり、光透過部材５１の表面にドットパターンを印刷したりすることで、光透過部材５１は光拡散性を有してもよい。また、上述した光拡散性を持たせる材料、形状等を組み合わせることで、光透過部材５１は光拡散性を有してもよい。
【００４２】
枠体５２は、第一発光部３０及び反射板４０などを側方から囲む筒状筐体である。本実施の形態においては、枠体５２は、円筒状である。枠体５２は、器具本体１１及び光透過部材５１とともに、照明装置１０の外郭筐体を構成する。枠体５２は、外郭筐体の側壁部分に相当する。なお、枠体５２は、取付け部１４には接触しない。枠体５２と取付け部１４との間には空隙（空気層）が形成される。
【００４３】
枠体５２は、上側の開口に器具本体１１が配置された状態で回動されることにより、器具本体１１に接続される。具体的には、枠体５２の内壁には、器具本体１１の側壁部１３に形成された雄ねじと螺合する雌ねじが形成されている。器具本体１１と枠体５２とは、当該雄ねじと当該雌ねじとが回動されて螺合することにより接続される。枠体５２は、例えば、アルミダイカストによって形成されるが、その他の金属、又は、樹脂によって形成されてもよい。
【００４４】
また、器具本体１１に透光カバー５０が取付けられた場合に、照明装置１０は、第一発光部３０が発する光の光軸Ｌ方向の長さに対して、光軸Ｌ方向に対して垂直な方向の長さの方が大きい扁平形状である。なお、本実施の形態においては、照明装置１０は、平面視において円形であるが、楕円形状又は多角形などでもよく、平面視形状は特に限定されない。照明装置１０の平面視形状が円形ではない場合は、照明装置１０は、第一発光部３０が発する光の光軸Ｌに平行な方向の長さ（高さ）に対して、照明装置１０における最も長い垂直な方向の長さ（幅）の方が大きい扁平形状であるとよい。
【００４５】
なお、照明装置１０が防災用の照明装置として採用される場合、照明装置１０の外郭筐体を構成する器具本体１１及び透光カバー５０は、不燃性又は難燃性の材料で形成されるとよい。具体的には、上述したように、器具本体１１及び枠体５２はアルミダイカストによって形成され、光透過部材５１はガラスによって形成されるとよい。こうすることにより、火災が発生した際などに、照明装置１０が延焼によって発火することが抑制される。
【００４６】
また、照明装置１０は、取付けシート９０及びパッキン１１０を備えてもよい。
【００４７】
取付けシート９０は、ベース部１２の取付け面１２ｂ側に配置され、ベース部１２と造営材とを密着させやすくするための緩衝部材である。取付けシート９０には、ベース部１２に形成された造営材に取付けるための取付け構造（開口）に対応した位置に、取付け構造（開口）が形成される。取付けシート９０は、例えば、不燃性又は難燃性であり、水が不透過のウレタン等の樹脂材料によって形成される。
【００４８】
パッキン１１０は、側壁部１３の外周面１３ａと枠体５２の内周面５２ａとの間に位置し、枠体５２と側壁部１３とを密着させやすくするための環状の気密封止部材である。パッキン１１０は、側壁部１３の外周面１３ａに沿って形成される。言い換えると、パッキン１１０は側壁部１３の外周面１３ａに、器具本体１１の周方向に延在して形成される。パッキン１１０は、例えば、ゴム弾性を有する樹脂材料によって形成される。
【００４９】
次に、作業者が反射板４０を器具本体１１に取付けられる際の、反射板４０の動かし方について説明する。図７は、反射板４０が器具本体１１に取付けられる際の、反射板４０の動きを示す説明図である。具体的には、図７の（ａ）は、反射板４０が器具本体１１に取付けられる前の状態を示し、図７の（ｂ）は、反射板４０が器具本体１１に取付けられる途中の状態を示し、図７の（ｃ）は、反射板４０が器具本体１１に取付けられた状態を示している。
【００５０】
図７の（ａ）に示されるように、反射板４０は、主面１２ａに対して平行な方向にスライドされることにより、開口部（切り欠き部）４４とモニタユニット７１とが嵌合して器具本体１１に取付けられる。反射板４０は、器具本体１１の側方からスライドされることで、取付け部１４に取付けられる。具体的には、反射板４０が器具本体１１へスライドされる方向（取付けられる方向）は、造営材の施工面に対して平行な方向である。本実施の形態においては、造営材の施工面はＸＺ平面であるとある。図７の（ａ）においては、反射板４０は一点鎖線で示される矢印の方向へスライドされることで、取付け部１４に取付けられる。なお、取付け部１４の構造は限定されるものではない。取付け部１４は、例えば、ねじ２６と、ねじ２６を支持し、ベース部１２に立設される支柱部２７とから構成される。また、例えば、ベース部１２に立設され、先端に突起形状を有する取付け部１４ａが設けられてもよい。反射板４０が器具本体１１の側方からスライドされることで、取付け部１４ａの先端の突起形状が、取付け孔４５ａに係合する。
【００５１】
また、図７に示されるように、反射板４０は一対の取付け孔４５を有する。また、器具本体１１には、一対の取付け部１４が設けられる。ここで、一対の取付け孔４５と一対の取付け部１４とはそれぞれが対応した位置に配置される。具体的には、取付け部１４に反射板４０がスライドされる際には、図７の（ａ）の一点鎖線の矢印の方向に反射板４０がスライドされ、一方の取付け孔４５が一方の取付け部１４に配置され、他方の取付け孔４５が他方の取付け部１４に配置される。
【００５２】
図７の（ｂ）に示されるように、器具本体１１の側方から反射板４０がスライドされることで、一対の取付け部１４に一対の取付け孔４５が係止される。また、器具本体１１の側方から反射板４０がスライドされることで、開口部（切り欠き部）４４とモニタユニット７１とが係合される。
【００５３】
図７の（ｃ）に示されるように、反射板４０が器具本体１１の側方からスライドされることで、一対の取付け部１４に一対の取付け孔４５が係止され、取付け部１４ａは取付け孔４５ａに係合し、モニタユニット７１は開口部４４に嵌合する。一対の取付け部１４に一対の取付け孔４５に嵌合させた後、ねじ２６によって反射板４０は器具本体１１に固定される。こうすることで、反射板４０は、器具本体１１に取付けられる。
【００５４】
なお、ベース部１２に載置される蓄電池６０、点灯制御装置７０及び端子台８０は、反射板４０が器具本体１１にスライドされる際に反射板４０と接触しない位置に載置されるとよい。具体的には、上述したように反射板４０は略漏斗状であるため、載置面４１の上部ではなく、傾斜部４２又は平坦部４３の上部に蓄電池６０及び端子台８０が載置されるとよい。こうすることで、反射板４０は、蓄電池６０及び端子台８０に接触することなく、取付け部１４に取付けられる。
【００５５】
次に、図８〜図１０を用いて点灯制御装置７０の詳細について説明する。
【００５６】
図８は、実施の形態に係る照明装置１０が備える点灯制御装置７０の外観斜視図である。図９は、実施の形態に係る照明装置１０が備える点灯制御装置７０の分解斜視図である。図１０は、図６の破線Ｘに囲まれた領域を示す点灯制御装置７０の部分拡大図である。なお、図１０において、説明のために、平坦部４３が位置する部分を破線で図示している。
【００５７】
点灯制御装置７０は、照明装置１０が備える第一発光部３０などを制御する制御機構である。点灯制御装置７０は、例えば、ベース部１２の下面に載置された状態でベース部１２にネジ止めされる。図８及び図９に示されるように、点灯制御装置７０は、主基板７７と、制御カバー７６と、モニタユニット７１とを備える。
【００５８】
主基板７７は、複数の電子部品１２０が実装され、上述した電源回路含む制御回路１２３が形成された回路基板である。
【００５９】
制御回路１２３は、第一発光部３０及びモニタランプ（第二発光部）７３の点灯状態を制御する処理回路である。また、制御回路１２３は、点検スイッチ７４が操作者から指示を取得した場合に、照明装置１０が備える電子部品、例えば蓄電池６０、又は、制御回路１２３を構成する電子部品１２０等が正常に機能しているかどうかの点検を行う。当該点検の結果に応じて、制御回路１２３は、モニタランプ７３を所定の点灯状態で発光させる。制御回路１２３がモニタランプ７３を所定の点灯状態で発光させる一例である、制御回路１２３が実行する蓄電池６０の状態を確認する処理手順の詳細については、後述する。
【００６０】
制御回路１２３は、例えば、ゲートアレイ等を用いた専用の電子回路によってハードウェア的に実現される。なお、制御回路１２３は、制御プログラムが記憶されたメモリと、当該制御プログラムを実行するＣＰＵ（Ｃｅｎｔｒａｌ  Ｐｒｏｃｅｓｓｉｎｇ  Ｕｎｉｔ）等によって、つまりプロセッサがプログラムを実行することによってソフトウェア的に実現されてもよい。
【００６１】
また、主基板７７は、上述したように、電源回路を含む。具体的には、制御回路１２３は、主基板７７に回路部品となる複数の電子部品１２０が実装されることにより形成された電源回路を含む。電源回路は、整流回路及びインバータ回路などを含む。
【００６２】
また、電源回路には、蓄電池６０を充電する充電回路が含まれる。充電回路は、照明装置１０の外部から供給される交流電力を蓄電池６０の充電に適した直流電力に変換し、直流電力によって蓄電池６０を充電する。本実施の形態では、照明装置１０においては、停電時などの非常時においても照明装置１０の使用が可能なように蓄電池６０はトリクル充電される。
【００６３】
また、電源回路には、外部からの交流電力の供給の停止（停電）を検出する検出回路、及び、蓄電池６０を放電する放電回路も含まれる。検出回路によって停電が検出されると、放電回路は、蓄電池６０を放電させる。この結果、蓄電池６０は、第一発光部３０に直流電力を供給する。これにより、照明装置１０は、停電時も発光を継続することができる。
【００６４】
制御カバー７６は、主基板７７を覆うカバー部材である。制御カバー７６は、反射板４０に設けられた傾斜部４２の形状に沿って傾斜した形状を有する。制御カバー７６は、例えば、アルミダイカスト又は不燃性若しくは難燃性の樹脂材料によって形成される。
【００６５】
モニタユニット７１は、モニタランプ７３等が配置され、照明装置１０が備える電子部品等の状態を、照明装置１０の使用者（操作者）へ報知するためのユニットである。モニタユニット７１には、モニタランプ７３を収容し、モニタランプ７３が発する光を反射する反射性を有した樹脂材料によって形成され、モニタランプ７３の周囲を覆う筒状の孔である筒部７９が設けられる。モニタユニット７１は、モニタカバー７２と、モニタランプ７３と、点検スイッチ７４とを備える。
【００６６】
モニタカバー７２は、副基板７８を覆うカバー部材である。また、モニタカバー７２には、モニタランプ７３が発する光を反射する（光反射性の）樹脂材料によって形成され、モニタランプ７３の周囲を覆う筒状の孔である筒部７９が設けられる。
【００６７】
筒部７９は、モニタランプ７３が発する光の配光を制御する機能を有する部分である。筒部７９は、モニタランプ７３から出射される光の一部を、光透過部材５１に向けて反射する。具体的には、筒部７９は、モニタランプ７３が発する光の広がりを抑制するように機能する。筒部７９は、例えば樹脂材料によってモニタランプ７３の周囲を囲むように筒状に形成される。筒部７９は、モニタカバー７２と同一の樹脂材料で形成されてもよいし、モニタランプ７３の周囲に位置するモニタカバー７２の部分に光反射性の樹脂材料が塗布されることにより形成されてもよい。当該樹脂材料は、例えば酸化チタンなどの反射性（光反射性）の材料を添加したシリコーン樹脂などである。これにより、筒部７９は、モニタランプ７３が発する光を光透過部材５１側へ反射するようにも機能する。なお、筒部７９には、モニタランプ７３が発する光の広がりを抑制するために、例えばレンズ等が設けられてもよい。
【００６８】
モニタランプ（第二発光部）７３は、照明装置１０が備える電子部品の状態に応じて点灯状態が切り替わる光源である。例えば、モニタランプ７３は、照明装置１０が備える電子部品の一例である蓄電池６０の状態に応じて点灯状態が切り替わる光源である。具体的には、モニタランプ７３は、点灯（連続点灯）又は点滅することにより蓄電池６０が正常に機能しているかどうかを照明装置１０の操作者へ提示（報知）するランプである。モニタランプ７３は、例えば、砲弾型ＬＥＤにより構成される。また、上述したように、照明装置１０は、モニタランプ７３とは別に、照明装置１０の照明用光源として機能する第一発光部３０を備える。第一発光部３０が点灯中においても、モニタランプ７３が光を発しているかどうかを確認しやすくするために、第一発光部３０及びモニタランプ７３が発する光の色は異なるとよい。例えば、第一発光部３０は白色光を発し、モニタランプ７３は緑色光を発してもよい。モニタランプ７３は、平坦部４３に形成された貫通孔である開口部４４に対応した位置に配置される。具体的には、モニタランプ７３は、平面視において開口部４４に配置される。
【００６９】
ここで、図１０に示されるように、モニタランプ７３の光出射位置Ｐは、平坦部４３より載置面４１側に位置する。言い換えると、モニタランプ７３の光出射位置Ｐは、平坦部４３よりも透光カバー５０側に位置する。なお、図１０において、光出射位置Ｐは、モニタランプ７３の先端部（図１０の図示する黒点）の位置として定義する。これにより、モニタランプ７３が発する光が、光透過部材５１を通過して照明装置１０の外側へ出射されやすくなる。なお、モニタランプ７３の光出射位置Ｐは、平坦部４３と略同一面にあればよい。つまり、モニタランプ７３の光出射位置Ｐは、平坦部４３と略同一面又は載置面４１側に位置すればよい。ここで、平坦部４３と略同一面とは、平坦部４３の載置面４１側の面を示す。
【００７０】
点検スイッチ７４は、照明装置１０を利用する操作者からの指示を取得するスイッチである。具体的には、点検スイッチ７４が操作者からの指示を取得した場合に、制御回路１２３は蓄電池６０の状態を確認する処理を実行する。点検スイッチ７４は、例えば操作者が直接押圧するボタンでもよいが、ＰＤ（Ｐｈｏｔｏ  Ｄｉｏｄｅ）等の光センサであるとよい。つまり、点検スイッチ７４は、操作者が操作するリモートコントローラから発せられる赤外線などの信号を受信する光センサであるとよい。なお、点検スイッチ７４の一例として、上述したボタン式のスイッチと、光センサとが照明装置１０に備えられていてもよい。本実施の形態においては、点灯制御装置７０は、点検スイッチ７４と、上述した光センサとして、受光部７５とを備える。
【００７１】
副基板７８は、モニタランプ７３及び点検スイッチ７４が実装され、モニタランプ７３及び点検スイッチ７４に電力を供給するための回路が形成された回路基板である。
【００７２】
なお、モニタランプ７３の点灯制御をするための制御回路１２３は、主基板７７に形成されるとしたが、副基板７８に形成されてもよく、限定されない。
【００７３】
次に、実施の形態に係る照明装置１０が備える電子部品の一例である蓄電池６０の状態を点検するための処理手順について説明する。
【００７４】
図１１は、実施の形態に係る照明装置１０が備える蓄電池６０の状態を点検する処理手順を示すフローチャートである。具体的には、図１１は、点検スイッチ７４又は受光部７５が照明装置１０の操作者から指示を取得した場合、制御回路１２３が蓄電池６０の状態を点検し、当該点検の結果に応じてモニタランプ７３を所定の態様で発光させる処理手順を示すフローチャートである。
【００７５】
照明装置１０は、まず、照明装置１０を外部交流電源と電気的に接続させて第一発光部３０及びモニタランプ（第二発光部）７３を点灯させる（ステップＳ１０１）。
【００７６】
照明装置１０を利用している操作者は、蓄電池６０が正常に機能しているかどうかを点検する場合に、照明装置１０へ指示を出す。例えば、操作者は、所定のリモートコントローラを操作して、蓄電池６０を点検する指示を受光部７５へ送信する。受光部７５は、当該指示を取得する（ステップＳ１０２）。受光部７５が操作者から指示を取得した場合に、制御回路１２３は、モニタランプ（第二発光部）７３を消灯させる制御をする（ステップＳ１０３）。
【００７７】
次に、制御回路１２３は、蓄電池６０の状態を点検する。まず、制御回路１２３は、蓄電池６０と第一発光部３０とが電気的に接続されているかを点検（判定）する（ステップＳ１０４）。具体的には、制御回路１２３は、外部から供給されていた電力を第一発光部３０へ供給することを中断し、蓄電池６０に蓄えられていた電力を第一発光部３０へ供給することで、第一発光部３０へ電力が供給できるかどうかを確認する。言い換えると、点検スイッチ７４が操作者から指示を取得した場合に、制御回路１２３は、停電時と同様に、蓄電池６０を放電させることにより第一発光部３０を発光させる。
【００７８】
次に、制御回路１２３が蓄電池６０と第一発光部３０とが電気的に接続されていないと判定した場合（ステップＳ１０４でＮｏ）に、制御回路１２３は、モニタランプ７３を点滅して発光させる制御をする（ステップＳ１０８）。
【００７９】
一方、制御回路１２３は、蓄電池６０と第一発光部３０とが電気的に接続されていると判定した場合（ステップＳ１０４でＹｅｓ）に、蓄電池６０が充電されているかどうかを点検する（ステップＳ１０５）。照明装置１０が、例えば非常用の照明装置として使用され、非常用電源として蓄電池６０が使用される場合には、いつ停電が発生しても対応できるように、常に満充電に保っておく必要がある。このような場合においては、ステップＳ１０５において、蓄電池６０が満充電であるかどうかの確認を行う。
【００８０】
次に、制御回路１２３は、蓄電池６０が充電されていないと判定した場合（ステップＳ１０５でＮｏ）に、モニタランプ７３を点滅して発光させる制御をする（ステップＳ１０８）。
【００８１】
一方、制御回路１２３は、蓄電池６０が充電されていると判定した場合（ステップＳ１０５でＹｅｓ）に、蓄電池６０の放電によって第一発光部３０を所定時間正常に点灯させ続けられるかどうかを点検する（ステップＳ１０６）。具体的には、制御回路１２３は、ＲＴＣ（Ｒｅａｌ  Ｔｉｍｅ  Ｃｌｏｃｋ）等の計時部（時計）を備え、当該計時部で蓄電池６０の放電による第一発光部３０の点灯時間を計測する。所定時間は特に限定されないが、例えば１０分間でもよいし、３０分間でもよいし、１時間でもよい。
【００８２】
次に、制御回路１２３は、蓄電池６０の放電によって第一発光部３０を所定時間正常に点灯させ続けられなかった場合（ステップＳ１０６でＮｏ）に、モニタランプ７３を点滅して発光させる制御をする（ステップＳ１０８）。
【００８３】
一方、制御回路１２３は、蓄電池６０の放電によって第一発光部３０を所定時間正常に点灯させ続けられた場合（ステップＳ１０６でＹｅｓ）に、モニタランプ７３を点灯させる制御をする（ステップＳ１０７）。ここで、点灯とは、モニタランプ７３が連続的に発光されている状態を示す。
【００８４】
上述したように、モニタランプ７３は、蓄電池６０の状態に応じて点灯状態が変化する。具体的には、制御回路１２３は、蓄電池６０の状態に応じてモニタランプ７３の点灯状態を切り替える。これにより、照明装置１０の操作者は、モニタランプ７３の点灯状態を確認することで、蓄電池６０が正常な状態であるか否かを確認できる。
【００８５】
なお、図１１に示す処理手順はあくまで一例であり、処理手順の順序などは変更されてもよい。また、ステップＳ１０４、ステップＳ１０５及びステップＳ１０６において、制御回路１２３がＮｏと判定した場合に、ステップＳ１０８においてモニタランプ７３を点滅させる制御をするが、各処理手順で同様の点滅状態とする必要はない。具体的には、ステップＳ１０４からステップＳ１０８へ移行した処理手順と、ステップＳ１０５からステップＳ１０８へ移行した処理手順と、ステップＳ１０６からステップＳ１０８へ移行した処理手順とで、モニタランプ７３の点滅状態は異なってもよい。ここで、異なる点滅状態とは、例えば、モニタランプ７３が点滅している状態における、点灯と消灯との周期、点灯時間の長さ、消灯時間の長さ等が異なる状態である。
【００８６】
また、ステップＳ１０８において、制御回路１２３はモニタランプ７３を点滅させる制御をするとしたが、操作者へ蓄電池６０に異常がある旨を提示できればよい。例えば、モニタランプ７３は複数の色の光を発することができてもよく、蓄電池６０が正常だと判定された場合と異常だと判定された場合とで発光色を変更してもよい。
【００８７】
また、制御回路１２３は、操作者からの指示を点検スイッチ７４（又は受光部７５）が取得した場合に、蓄電池６０の状態を点検するとしたが、当該点検を開始する条件は限定されない。例えば、制御回路１２３は計時部とメモリとを備え、当該メモリに定期的に図１１に示すステップを実行させる制御プログラムを予め記憶させておき、当該制御プログラムが制御回路１２３によって定期的に実行されてもよい。
【００８８】
［効果等］
以上説明したように、照明装置１０は、第一発光部３０と、第一発光部３０が載置される載置面４１を有し、第一発光部３０が発する光を反射する反射板４０と、照明装置１０が有する電子部品の状態に応じて点灯状態が変化する第二発光部（モニタランプ）７３とを備える。第一発光部３０は、平面視した場合に反射板４０の中央部に位置する。反射板４０は、第一発光部３０から離れるにつれて開口面積が広がる形状である。また、反射板４０の周縁には、フランジ状の平坦部４３が設けられる。平坦部４３には、反射板４０を貫通する開口部４４が設けられる。モニタランプ７３は、平面視した場合に開口部４４に位置する。モニタランプ７３の光出射位置Ｐは、平坦部４３と略同一面、又は、載置面４１側に位置する。
【００８９】
こうすることで、照明装置１０が備える電子部品、例えば蓄電池６０等の状態を報知するためのモニタランプ７３は、開口部４４に位置されているために、出射した光が反射板４０に遮られることなく光透過部材５１側に発せられる。これにより、照明装置１０の使用者（操作者）は、モニタランプ７３が発する光を確認しやすい。そのため、照明装置１０によれば、照明装置１０が備える電子部品、例えば蓄電池６０等の状態を容易に確認できる。
【００９０】
また、例えば、開口部４４は、反射板４０の周縁に形成される切り欠き状の切り欠き部でもよい。
【００９１】
これにより、開口部（切り欠き部）４４は、貫通孔を形成する場合と比較して、形成されやすい。
【００９２】
また、照明装置１０は、さらに、モニタランプ７３が発する光を反射する樹脂材料によって形成され、モニタランプ７３の周囲を覆う筒状の孔である筒部７９が設けられたモニタユニット７１を備えてもよい。
【００９３】
これにより、モニタランプ７３から出射された光は、筒部７９で反射され、光透過部材５１側へ到達しやすくなる。そのため、照明装置１０の使用者は、モニタランプ７３が発する光を確認しやすい。
【００９４】
また、照明装置１０は、さらに、モニタユニット７１が配置され、平坦な主面１２ａを有する器具本体１１を備えてもよい。反射板４０は、主面１２ａに対して平行な方向にスライドされることにより、開口部４４とモニタユニット７１とが嵌合して器具本体１１に取付けられてもよい。器具本体１１は、反射板４０の主面１２ａに対して平行な方向の動きを規制し、反射板４０が着脱可能に取付けられる取付け部１４を有してもよい。
【００９５】
これにより、反射板４０を取付け部１４へ取付けた際に、開口部４４とモニタユニット７１とが嵌合することにより、反射板４０は主面１２ａに平行な方向への動きが規制される。さらには、取付け部１４もまた、主面１２ａに平行な方向への反射板４０の動きを規制する。例えば、反射板４０が取付け部１４に取付けられる場合に、反射板４０が有する取付け孔４５は、取付け部１４が有するねじ２６に係止される。そのため、使用者は反射板４０を適切に器具本体１１に取付けやすくなる。
【００９６】
また、照明装置１０は、さらに、第一発光部３０が発する光を透過する光透過部材５１を有し、器具本体１１に着脱可能に取付けられる透光カバー５０を備えてもよい。
【００９７】
これにより、照明装置１０が内部に保持する電子部品等を外部から保護することができる。
【００９８】
また、照明装置１０は、反射板４０に覆われて器具本体１１に載置され、第一発光部３０に電力を供給する蓄電池６０をさらに備えてもよい。
【００９９】
これにより、照明装置１０は、停電などが発生した際においても、蓄電池６０から第一発光部３０へ電力が供給される。そのため、例えば災害などが発生した場合に外部交流電源から電力が供給されない場合においても、第一発光部３０は光を発することができる。
【０１００】
（その他の実施の形態）
以上、実施の形態に係る照明装置について説明したが、本発明は、このような実施の形態に限定されるものではない。
【０１０１】
上記実施の形態で説明された照明装置の形状は、一例である。例えば、上記実施の形態では、照明装置の平面視形状は、円形であったが、照明装置の平面視形状は、矩形などの多角形であってもよい。
【０１０２】
また、上記実施の形態では、第一発光部として、ＣＯＢ型の発光モジュールが用いられたが、第一発光部の態様は特に限定されるものではない。例えば、ＳＭＤ型の発光モジュールが発光部として用いられてもよい。また、第一発光部には、ＬＥＤチップを用いた発光モジュールに代えて、蛍光灯、メタルハライドランプ、ナトリウムランプ、ハロゲンランプ、キセノンランプ、又は、ネオンランプ等が用いられてもよい。また、第一発光部には、無機エレクトロルミネッセンス、有機エレクトロルミネッセンス、ケミルミネッセンス（化学発光）、又は、半導体レーザー等が用いられてもよい。なお、第二発光部においても、その態様は特に限定されるものではない。第一発光部と同様に、上述した各種光源が用いられてよい。
【０１０３】
また、上記実施の形態では、点検スイッチとしてボタン又は光センサを例示したが、照明装置１０の操作者からの指示を取得できればよい。例えば、点検スイッチは、無線通信装置でもよく、当該無線通信装置によって操作者からの指示を取得してもよい。照明装置１０の操作者は、無線通信により、照明装置１０へ指示を送信する。無線通信は、例えば、Ｂｌｕｅｔｏｏｔｈ（登録商標）、Ｗｉ−Ｆｉ（登録商標）又はＺｉｇＢｅｅ（登録商標）などの所定の無線通信規格に基づいて行われればよい。
【０１０４】
以上、一つ又は複数の態様に係る照明装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つ又は複数の態様の範囲内に含まれてもよい。
【符号の説明】
【０１０５】
１０  照明装置
１１  器具本体
１２  ベース部
１２ａ  主面
１４、１４ａ  取付け部
３０  第一発光部
４０  反射板
４１  載置面
４３  平坦部
４４  開口部（切り欠き部）
４５、４５ａ  取付け孔
５０  透光カバー
５１  光透過部材
６０  蓄電池
７０  点灯制御装置
７１  モニタユニット
７３  モニタランプ（第二発光部）
７７  主基板
７８  副基板
７９  筒部
Ｐ  光出射位置
【図１】
2018116905.tif 000003
【図２】
2018116905.tif 000004
【図３】
2018116905.tif 000005
【図４】
2018116905.tif 000006
【図５】
2018116905.tif 000007
【図６】
2018116905.tif 000008
【図７】
2018116905.tif 000009
【図８】
2018116905.tif 000010
【図９】
2018116905.tif 000011
【図１０】
2018116905.tif 000012
【図１１】
2018116905.tif 000013